(57)【特許請求の範囲】
【請求項１】
代表成分を表す信号である直流成分および非代表成分を表す信号である交流成分を含む映像信号を受け取り、該映像信号から該代表成分を表す信号である直流成分を抽出する代表成分抽出器と、
該代表成分抽出器によって抽出された代表成分を記録媒体に記録する記録器とを備え、
前記映像信号における代表成分および非代表成分は、固定長の値であることを特徴とする、映像信号処理装置。
【請求項２】
前記代表成分抽出器によって抽出された代表成分を表示する表示器をさらに備えている請求項１に記載の映像信号処理装置。
【請求項３】
前記代表成分抽出器によって抽出された代表成分を表す信号を伝送路に出力する送信器をさらに備えている請求項１に記載の映像信号処理装置。
【請求項４】
前記代表成分を表す信号および前記非代表成分を表す信号を含む映像信号が記録された磁気テープの該映像信号を再生する磁気テープ再生器をさらに備え、
前記代表成分抽出器は、通常再生よりも高速で再生される前記磁気テープに記録された前記映像信号から該代表成分を表す信号を抽出する、請求項１に記載の映像信号処理装置。
【請求項５】
代表成分を表す信号である直流成分および非代表成分を表す信号である交流成分を含む映像信号が記録された磁気テープを再生して、再生された映像信号を出力する磁気テープ再生器と、
該磁気テープ再生器から出力される映像信号を受け取り、該映像信号から該代表成分を表す信号を抽出する代表成分抽出器と、
該代表成分抽出器によって抽出された前記代表成分を表す信号をディスク記録媒体上に記録するディスク記録器と、
前記磁気テープ再生器の再生を制御する編集領域設定器とを備え、
前記映像信号における代表成分および非代表成分は、固定長の値であることを特徴とする、映像信号処理装置。
【請求項６】
前記磁気テープ再生器から出力された映像信号を磁気テープに記録する磁気テープ記録器をさらに備えている請求項５に記載の映像信号処理装置。
【請求項７】
前記代表成分抽出器によって映像信号を受け取る前に、該映像信号を保持するバッファをさらに備え、
該映像信号の代表成分を表す信号が、該バッファの記録領域に固定長で保持され、
前記代表成分抽出器は、前記代表成分を表す信号がそれぞれ保持されたバッファから出力されるビット数をカウントして、前記代表成分を表す信号を抽出する請求項１に記載の映像信号処理装置。
【発明の詳細な説明】
【０００１】
【発明の属する技術分野】
本発明は、映像信号が供給されたとき、表示、記録、伝送、もしくは編集を行う映像信号処理装置に関するものである。
【０００２】
【従来の技術】
従来より、映像信号を効率よく記録、または伝送するためには、映像信号を高能率符号化する技術が重要である。上記高能率符号化された映像信号の内容を知るためには、映像信号を復号して表示する方法が一般的である。
【０００３】
ところで、上記符号化された映像信号、とくに磁気テープに記録された映像信号の内容をよりはやく知りたいとの要望が強い。
【０００４】
磁気テープに記録された符号化映像信号の内容をよりはやく知る手段の一例として高速再生がある。高速再生は、テープ走行速度を速くして、複数フレームにまたがる映像データを１フレームの映像データと見なして復号する方法である。この方法が述べられている文献として、例えば特開平４−８６１８３号がある。
【０００５】
他に記録された映像信号の内容を高速に簡単に知る一例として、代表的な映像信号のみを抽出して表示する方法がある。例えば、特開平７−１２３３５５号に開示されている内容によれば、通常再生用のデータの他に、高速再生用として各ブロックに離散コサイン変換（ＤＣＴ）を施して得られる直流成分を別に記録し、これを拡大、フィルタリングの上表示する方法が示されている。
【０００６】
しかし特開平４−８６１８３号に開示されている内容では、記録された内容をいち早く知ることは可能であるが、高速再生用のデータを復号する必要があり、また高速再生を行うと得られた映像信号は複数フレームにまたがるものであるため、フレーム単位で編集することは不可能である。
【０００７】
また特開平７−１２３３５５号に開示されている内容では、通常再生用のデータの他に高速（簡易）再生用として各ブロックの直流成分を別に保存するため、同じ内容のデータを２度記録することになり、記録領域をその分多く必要とする。
【０００８】
次に映像信号を伝送する場合、動画中の任意のフレームの画像を１枚の画像データとして伝送すれば、必ずしも実時間内に全てのデータを伝送する必要がないために、電話回線等伝送容量が十分大きくない伝送路を用いても十分伝送が可能である。しかしながら、動画を伝送する場合には、高能率符号化を施したとしても、衛星通信など非常に限られた高速回線を用いる必要があった。
【０００９】
さらに、従来、映像信号の編集方法としては、ＶＴＲ（ビデオテープレコーダー）によるテープ・ツウ・テープによる編集が広く用いられてきた。また、高価な放送用ＶＴＲの使用効率を上げる目的から、素材を一旦安価なテープにダビングしてワーキング・テープを作成してワーキングテープ上で編集リハーサルを行い、最終的に決定されたディシジョンリストによって本編集するといったオフライン編集手法も多用されている。テープ・ツウ・テープ編集（リニア編集）においては、必要なカットへのアクセスや編集内容の変更などに対して膨大な時間が掛かっていたが、近年のコンピュータ技術や磁気ディスク技術の発展によって、収録したテープ上の素材をハードディスクに一旦取り込みアクセス性に優れるハードディスク上で編集（ノンリニア編集）をおこなうような編集装置が提案・実用化されるようになってきた。しかし、ハードディスクの記録容量は、一般的には、テープ系に対しては極めて少なく、メディア単価も高価であるため、記録容量及びメディアコストの点で優れるテープ系とアクセス性に優れるディスク系を組み合わせたハイブリッド型の編集装置が提案されている。
【００１０】
例えば、特開平５−１０１６０９号公報には、テープ上に記録された各情景の一部分（一般的に各情景の始めと終わりの数秒間の映像信号）をディスクに記録して、テープ上の映像信号のアドレスとディスク上の映像信号のアドレスを関連付けて一元的に管理することで、テープ系のアクセス性の悪さとディスク系の記録容量の少なさを相補的に補完させる技術が開示されている。さらに、特開平５−１０１６０９号公報には、ディスクへの映像信号の記録に際して周知のビデオ圧縮技術を用いて行い、ノンリニア・オフライン編集を行って編集ディシジョン・リストを作成して、テープ・ツウ・テープの本編集に移行する編集方法も開示されている。
【００１１】
【発明が解決しようとする課題】
しかしながら、従来のハイブリッド型の編集装置は、使用するＶＴＲとして、基本的にアナログ記録方式のＶＴＲ、あるいは非圧縮のディジタルＶＴＲが想定されている。近年においては、ビデオ圧縮技術の進歩にともない放送画質に堪えるものが提案されており、これらのビデオ圧縮技術を採用した圧縮型ディジタルＶＴＲが提案される様になっている。
【００１２】
従来のハイブリッド型の編集装置によれば、ディスクへの映像信号の記録に際して用いるビデオ圧縮伸張器と圧縮型ディジタルＶＴＲが有するビデオ圧縮伸張器の２つのビデオ圧縮伸張器が必要であり、高価なものとなり、また、ハードウエア規模も大きくなってしまう欠点があった。たとえば、ビデオ圧縮伸張器を共通のものを使用し、１個で兼用することも考えられるが、一般に、放送画質に堪えるためには、ビデオ圧縮技術が進歩したとはいえ、データレートとしては数十Ｍｂｐｓは必要であり、素材の一部をディスクに取り込む手法以外では、ディスクの記録容量の観点から実現性は困難であった。
【００１３】
本発明はかかる点に鑑み、代表成分を表す信号と前記代表成分以外の非代表成分を表す信号に分離された形態の映像信号が供給されたとき、前記代表成分のみを抽出して表示、記録、または伝送を行うことで、映像信号の内容を高速に確認でき、記録容量を削減でき、さらに比較的伝送容量の小さな伝送路でも映像信号を実用に耐えうる速度で伝送できる映像信号処理装置を提供することを目的とする。
【００１４】
【課題を解決するための手段】
本発明による映像信号処理装置は、代表成分を表す信号である直流成分および非代表成分を表す信号である交流成分を含む映像信号を受け取り、該映像信号から該代表成分を表す信号である直流成分を抽出する代表成分抽出器と、該代表成分抽出器によって抽出された代表成分を記録媒体に記録する記録器とを備え、前記映像信号における代表成分および非代表成分は、固定長の値であることを特徴とし、そのことにより上記目的が達成される。
【００１５】
ある実施例では、前記代表成分抽出器によって抽出された代表成分を表示する表示器をさらに備えている。
【００１６】
ある実施例では、前記代表成分抽出器によって抽出された代表成分を表す信号を伝送路に出力する送信器をさらに備えている。
【００１８】
ある実施例では、前記代表成分を表す信号および前記非代表成分を表す信号を含む映像信号が記録された磁気テープの該映像信号を再生する磁気テープ再生器をさらに備え、前記代表成分抽出器は、通常再生よりも高速で再生される前記磁気テープに記録された前記映像信号から該代表成分を表す信号を抽出する。
【００２２】
また、本発明の映像信号処理装置は、代表成分を表す信号である直流成分および非代表成分を表す信号である交流成分を含む映像信号が記録された磁気テープを再生して、再生された映像信号を出力する磁気テープ再生器と、該磁気テープ再生器から出力される映像信号を受け取り、該映像信号から該代表成分を表す信号を抽出する代表成分抽出器と、該代表成分抽出器によって抽出された前記代表成分を表す信号をディスク記録媒体上に記録するディスク記録器と、前記磁気テープ再生器の再生を制御する編集領域設定器とを備え、前記映像信号における代表成分および非代表成分は、固定長の値であることを特徴とし、そのことにより上記目的が達成される。
【００２３】
ある実施例では、前記磁気テープ再生器から出力された映像信号を磁気テープに記録する磁気テープ記録器をさらに備えている。
【００２６】
ある実施例では、前記代表成分抽出器によって映像信号を受け取る前に、該映像信号を保持するバッファをさらに備え、該映像信号の代表成分を表す信号が、該バッファの記録領域に固定長で保持され、前記代表成分抽出器は、前記代表成分を表す信号がそれぞれ保持されたバッファから出力されるビット数をカウントして、前記代表成分を表す信号を抽出する。
【００２８】
【発明の実施の形態】
以下、図面を参照しながら本発明の実施例を説明する。同じ参照符号は、同じ構成要素を示す。
【００２９】
（実施例１）
図１は、本発明による映像信号処理装置の第１の実施例のブロック図である。同図において、１１は符号化された映像信号が記録されている蓄積媒体、１２は通信端末、１３はバッファ、１４は代表成分抽出器、１５はカメラ、１６はコンピュータ、１７は符号化器、１８は記録媒体、１９は表示出力端子である。蓄積媒体としては、ＣＤ−ＲＯＭ、磁気テープ、ハードディスク、光ディスクなどがある。また、蓄積媒体１１、通信端末１２、符号化器１６を総括して符号化映像供給部２０と呼ぶ。
【００３０】
以下に、第１の実施例の動作について説明する。
【００３１】
蓄積媒体１１、または通信端末１２から、代表成分と、代表成分以外の非代表成分とに分離された形態の符号化映像信号は、バッファ１３に保持される。ここで「代表成分」とは、画像を例えば８×８画素のブロックごとに離散コサイン変換をほどこしたときの直流（ＤＣ）成分をいう。逆に「非代表成分」とは、非ＤＣ成分、つまりＡＣ成分をいう。
【００３２】
バッファ１３に保持されたデータはフレーム単位で代表成分抽出器１４に供給される。また、カメラ１５により撮影された映像信号、またはコンピュータ１６上の画像ファイル（一例としてビットマップファイル）は符号化器１７により、代表成分と、代表成分以外の非代表成分とに分離された形態で符号化され、代表成分抽出器１４に供給される。代表成分抽出器１４は、前記形態の映像信号のうち代表成分のみを抽出する。抽出された代表成分は記録媒体１８に記録され、記録された代表成分は表示出力端子１９により画像に変換された上で表示される。
【００３３】
図２は、代表成分抽出器１４のブロック図である。図２において２１は入力端子、２２はフラグ判定器、２３はカウンタ、２４はスイッチ、２５は出力端子である。この動作の説明では、映像信号は図３のように、先頭に先頭データがおかれた後、代表成分と非代表成分とがそれぞれａビット、ｂビットの固定長で順番に供給されるものとする。しかしこれらが固定長でない場合でも、何らかの方法で代表成分が検出できればこの限りではない。
【００３４】
図３は、入力される映像信号のデータストリームを模式的に示す図である。図３において、「Ｆ」、「ＤＣ」および「ＡＣ」は、それぞれフラグ、代表成分および非代表成分を示す。入力端子２１より、図３の形態の映像信号が入力されたとき、フラグ判定器２２で先頭データ（つまりフラグＦ）が供給されたとき、先頭データの最終ビットが通過した後に、カウンタ２３にゼロクリア信号を送り、カウンタ２３の値ｃを０にセットする。先頭データが検出されなかった場合は、カウンタ２３の値ｃに１を加える。カウンタ２３は、ｃ≦ａであれば入力は代表成分のビットであるから、スイッチ２４にＯＮ信号を送り、入力ビットを出力端子２５に供給する。一方ａ＜ｃ≦ａ＋ｂであれば入力は非代表成分のビットであるから、このときカウンタ２３はスイッチ２４にＯＦＦ信号を送り、入力ビットを出力端子２５に供給しない。
【００３５】
カウンタ２３の値ｃがａ＋ｂに達したとき、次に供給されるビットは代表成分であるので、次のビットが入力される前にカウンタ２３の値ｃは再び０にセットされる。この後、前述した動作と同様に次の代表成分が出力端子２５に供給される。
【００３６】
以上説明したように、本発明の第１の実施例では、多岐にわたる符号化映像供給部から、代表成分と代表成分以外の非代表成分とに分離された形態で映像信号が供給されたとき、前記形態の映像信号から代表成分のみを抽出して、表示または記録することが可能となる。
【００３７】
なお、本実施例では、記録媒体１８に記録された代表成分を表示出力しているが、代表成分抽出器１４から直接表示出力する構成も可能である。また、図１の構成において表示出力端子１９はなくてもかまわない。
【００３８】
また表示出力端子１９は、通常のインタレース方式のモニタのほかに、ＶＧＡカードを含んだノンインタレース方式のモニタ（一例としてパソコンモニタ）やプロジェクタなど、あらゆる形態のモニタを含む。
【００３９】
また、バッファ１３はＲＡＭ等の揮発性記録媒体のほかに、ハードディスク等不揮発性記録媒体でもよい。
【００４０】
また、本実施例のようにカウンタ２３のしきい値をａとすると、代表成分をそのまま抽出することができるが、例えば記録または伝送において容量をさらに削減したい場合、しきい値をａ以下とすることも可能である。
【００４１】
（実施例２）
図４は、本発明による映像信号処理装置の第２の実施例のブロック図である。なお、以下に挙げる実施例においては、特に断らない限り、符号化映像信号供給部として磁気テープ、代表成分として映像信号を水平・垂直方向それぞれ８画素ずつからなるブロックに分割したとき各ブロックに離散コサイン変換（ＤＣＴ）を施して得られる直流成分を用いるものとし、さらに磁気テープ上の固定領域に各ブロックの直流成分が記録されているものとする。しかしその他の符号化映像信号供給部の場合であっても同様の効果が得られることは言うまでもない。
【００４２】
図４において、４１は磁気テープ、４２は磁気テープ再生器である。
【００４３】
以下に第２の実施例の動作について説明する。
【００４４】
磁気テープ４１上に記録されているデータは、磁気テープ再生器４２により読み出され、バッファ１３に１フレーム分のデータが読み出されるまで保持される。前記バッファ１３保持されたデータは代表成分抽出器１４により直流成分のみ抽出され、記録媒体１８に記録される。記録された直流成分は表示出力端子１９により画像に変換された上で表示される。
【００４５】
図５は、ＮＴＳＣ方式のデジタル映像信号の１フレームの構成の一例を示した図である。輝度信号（Ｙ）は水平７２０画素、垂直４８０画素からなり、第１色差信号（Ｃｒ）、第２色差信号（Ｃｂ）は水平１８０画素、垂直４８０画素からなる。
【００４６】
これらの信号を記録する方式の一例を以下に述べる。輝度および両色差信号それぞれについて、水平８画素、垂直８画素ずつに分割したブロックを構成する。図６は、映像信号のブロックおよび記録フォーマットを模式的に示す図である。１フレーム内の輝度信号、第１色差信号、第２色差信号の水平方向の画素数の比は４：１：１である。よって図６（ａ）のように、画面上の同一領域に位置するＹブロック４個、Ｃｒブロック１個、Ｃｂブロック１個からなるマクロブロックを構成することができる。次に各ブロックについて離散コサイン変換（ＤＣＴ）を施す。離散コサイン変換により得られた係数は、直流成分と交流成分に分離され、このうち交流成分は適当な量子化ステップで除算され、可変長符号化される。
【００４７】
図６（ｂ）は記録媒体上において１マクロブロックの映像データを記録する記録領域の一例を示した図である。Ｙ０〜Ｙ４、Ｃｒ、Ｃｂは図６（ａ）のマクロブロックに対応している。この記録領域は固定長であり、垂直方向には１バイト（８ビット）のデータが図の上方を上位ビットとして記録され、水平方向にはバイト位置番号が順に振られている。符号化されたデータは、はじめに垂直方向へ上位ビットから下位ビットへ、次に水平方向へバイト位置番号の小さい順に記録される。この記録領域上に直流成分はＤＣ領域に、可変長符号化された交流成分はＡＣ領域に、それぞれブロック別に固定長で記録される。
【００４８】
第２の実施例において、バッファ１３からは前述した記録順序で代表成分抽出器１４に符号化データが送られる。よって代表成分抽出器１４は、第１の実施例の説明と同様の動作で、入力されるビット列のビット数をカウントするのみで直流成分を抽出することができる。
【００４９】
図７は、代表成分（直流成分）と非代表成分（交流成分）とを復号して得られる通常表示画と本実施例の表示出力端子１９より表示される簡易表示画との画素の関係を示した図である。ブロックが８×８画素から構成されているとき、通常表示画の８×８ブロックが簡易表示画の１画素に対応する。従って、通常表示画の大きさが７２０×４８０画素のとき、簡易表示画の大きさは９０×６０画素となる。
【００５０】
以上説明したように、本発明の第２の実施例によれば、磁気テープ上の固定領域から直流成分のみを抽出して通常表示画よりも小さな簡易表示画を構成することが可能である。また代表成分抽出器を実現するための回路規模は小さい。
【００５１】
なお、簡易表示画の大きさは９０×６０画素に限ったものではなく、必要に応じて拡大、縮小してもよい。また、簡易表示画にリンギング等視覚的妨害が現れる場合、例えば適当なフィルタを用いてこれら視覚的妨害を除去することができる。
【００５２】
なお、前記記録領域は、各ブロックのＤＣ、ＡＣ領域が固定長であれば、その大きさ（記録容量）は特に定められたものではない。
【００５３】
（実施例３）
図８は、本発明による映像信号処理装置の第３の実施例のブロック図である。図８において８１は送信器、８２は外部伝送路、８３は受信器である。
【００５４】
以下に第３の実施例の動作について主として第２の実施例と異なる部分について説明する。
【００５５】
代表成分抽出器１４により抽出された直流成分は、送信器８１により伝送のための符号化やパケット分割がなされ、外部伝送路８２を介して伝送される。伝送されてきたデータは受信器８３でデータが復元され、記録媒体１８に記録される。
【００５６】
以上説明したように、本発明の第３の実施例によれば、抽出された直流成分のみを通信路符号化することで、映像信号の内容を損なうことなく伝送情報量を削減することが可能となる。
【００５７】
（実施例４）
図９は、本発明による映像信号処理装置の第４の実施例のブロック図である。図９において９１は記録媒体制御器、９２は記録媒体、９３は表示フレーム選択器、９４は複数画像表示出力端子である。
【００５８】
以下に第４の実施例の動作について、主として第２の実施例と異なる部分についてのみ説明する。
【００５９】
表示フレーム選択器９３は、ユーザからの入力に応じて、出力すべきフレームを指定するデータを生成し、記録媒体制御器９１に出力する。記録媒体制御器９１は、指定されたフレームに対応する代表成分（つまりＤＣ成分）のデータを選択し、取り出すよう記録媒体９２を制御する。記録媒体９２としては、例えばランダムアクセスメモリ（ＲＡＭ）、ハードディスクドライブ（ＨＤＤ）、光ディスク、磁気テープなどを用いることができる。表示フレーム選択器９３によって指定されたフレームに対応する代表成分のデータは、記録媒体９２から記録媒体制御器９１を介して複数画像表示出力端子９４に出力される。複数画像表示出力端子９４は、例えば、選択されたフレームの簡易表示画を、１画面内に複数並べて表示するための信号を出力する。
【００６０】
以上説明したように、本発明の第４の実施例によれば、簡易表示画を１画面内に並べて表示させることで、編集ポイントの検索、特にシーンチェンジ等特徴ある映像の検索を容易に行うことが可能になる。第２の実施例で述べたように、簡易表示画は、拡大、縮小を行わなければ、通常表示画と比較して水平、垂直方向それぞれに１／８の大きさになっているので、１画面に最大６４フレーム分の簡易表示画を表示させることが可能となる。また、１２８０画素×１０２４画素程度の高解像度のモニタを用いれば、より多くの簡易表示画を表示させることができる。
【００６１】
なお、本実施例の説明では、直流成分が代表成分抽出器１４から直接、記録媒体９２に供給される場合について述べたが、第３の実施例のように直流成分を外部伝送路を用いて伝送する構成も可能である。
【００６２】
（実施例５）
図１０は、本発明による映像信号処理装置の第５の実施例のブロック図である。図１０において１０１は第１記録媒体制御器、１０２は第１記録媒体、１０３は伝送フレーム選択器、１０４は第２記録媒体である。
【００６３】
以下に第５の実施例の動作について、主として第３の実施例と異なる部分について説明する。
【００６４】
代表成分抽出器１４により抽出された直流成分は、第１記録媒体制御器１０１を介して第１記録媒体１０２に保持される。伝送フレーム選択器１０３は、第１記録媒体１０２に保持されたデータの中から、伝送するフレームをユーザが任意に選択できるように動作する。伝送フレーム選択器１０３によって選択されたフレームの直流成分は、送信器８１で伝送のために符号化され外部伝送路８２を用いて伝送される。受信器８３で受信された直流成分データは、第２記録媒体１０４に一時保持され、表示出力端子１９より表示される。
【００６５】
以上説明したように、本発明の第５の実施例によれば、伝送するフレームを任意に取捨選択することで、伝送情報量を大幅に削減することができ、その結果電話回線のような低レートの伝送路の場合でも映像の内容を損なうことなく伝送することができる。
【００６６】
なお、本実施例において、あらかじめ伝送フレーム選択器１０２により伝送フレームを選択されて伝送された直流成分を、受信側でさらに選択して記録、または表示させる構成も可能である。
【００６７】
（実施例６）
図１１は、本発明による映像信号処理装置の第６の実施例のブロック図である。図１１において、１１１はテープ送りモータ、１１２はテープ送り制御器である。
【００６８】
以下第６の実施例の動作について、主として第２の実施例と異なる部分について説明する。
【００６９】
テープ送りモータは１１１は、テープ送り制御器１１２の制御信号に応じて、磁気テープの走行速度を制御する。
【００７０】
以下磁気テープの走行速度が通常よりも速い高速再生の場合について、再生ヘッドの動作を中心として述べる。
【００７１】
図１２は、磁気テープ上のトラック１２１と、通常速度による再生ヘッド中心の軌跡１２２、および高速再生による再生ヘッド中心の軌跡１２３を相対的に示す図である。図中で「Ｗ」は、ヘッド幅を示す。通常速度による再生時、再生ヘッドは１トラック毎にスキャンし、全マクロブロックを読み出す。一方高速再生時は、再生ヘッドの１スキャンにより複数のトラックからまたがってデータが読み出される（図１２の斜線部）。このとき読み出されたマクロブロックについて、第２の実施例と同様に代表成分抽出器１４により、各マクロブロックから直流成分のみを抽出する。抽出された直流成分は記録媒体１８に記録され、表示出力端子１９により出力される。ここで「高速」とは、通常再生に比べて速い速度をいう。
【００７２】
以上説明したように、本発明の第６の実施例によれば、磁気テープを通常より高速にテープを走行させたときに読み出された映像データから、直流成分を抽出することで、長時間にわたる記録映像信号の内容をより速く知ることが可能となり、さらに記録された映像が判別不可能とならない程度に情報量を削減することができる。
【００７３】
また第６の実施例において、バッファ１３の出力を送信器８１に入力してもよい。この場合、外部伝送路８２を介して伝送された映像信号から代表成分を得るために、受信側において代表成分抽出器１４を設ければよい。
【００７４】
（実施例７）
図１３は、本発明による第７の実施例の映像信号処理装置のブロック図である。図１３において、１３１は適応復号化器である。以下第７の実施例の動作について説明する。
【００７５】
第１の実施例と異なる部分は、記録媒体１１上、または通信端末１２により受信される映像データの符号化フォーマットが任意であることである。供給された任意の符号化データは、適応復号化器１３１で各フォーマットに応じて復号される。つまり「適応」復号化器は、入力される信号の符号化方法に対応する復号化方法によって入力映像信号を復号化する。
【００７６】
復号されたデータは符号化器１６で代表成分と非代表成分が分離されて符号化される。符号化は、例えば離散コサイン変換を用いたフレーム内圧縮によっておこなわれる。
【００７７】
符号化されたデータはバッファ１３でいったん保持された後、代表成分抽出器１４に供給され、代表映像が抽出される。抽出された代表映像は、記録媒体１８に記録されて表示出力端子１９より表示されるか、もしくは送信器８１により伝送に適した符号化が行われて外部伝送路８２を介して伝送される。また記録媒体１８への記録と、外部伝送路８２への伝送とをおこなってもよい。
【００７８】
以上説明したように、本発明の第７の実施例によれば、任意のフォーマットで符号化された映像信号からその代表成分を取り出した上で表示もしくは記録もしくは伝送することにより、いかなる符号化フォーマットによる映像信号であっても、簡易に表示が可能であり、また記録または伝送する情報量を削減することが可能となる。
【００７９】
（実施例８）
図１４は、本発明の映像信号処理装置の第８の実施例のブロック図である。図１４において、１４１はディスク記録器、１４２は磁気ディスク、１４３はディスク再生器、１４４は編集領域設定器、１４５は再生プログラム設定器である。
【００８０】
磁気テープ４１に記録されたデータは、磁気テープ再生器４２により、直流成分と交流成分とに分割された映像信号を再生する。代表成分抽出器１４は、磁気テープ再生器４２から再生された映像信号から直流成分を抽出する。抽出された直流成分は、ディスク記録器１４１によって磁気ディスク１４２に記録される。この時、磁気テープ４１に通常記録されているタイムコードも同時に磁気ディスク１４２に記録される。磁気ディスク１４２に記録された直流成分は、ディスク再生器１４３によって再生することが可能であり、表示出力端子１９へ簡易画像表示する。
【００８１】
次に、編集領域設定器１４４によってディスク再生器１４３を操作して、磁気ディスク１４２に記録されている映像信号（この時点で磁気ディスク１４２に実際に記録されているのは、磁気テープ４１に記録されている映像信号のうちの直流成分である）から、必要なカット部分に対応するタイムコードリストを作成する。すなわち、編集領域設定器１４４に付属するダイヤル等によりディスク再生器１４３に対して早送り、巻き戻し、可変速再生などの操作を施し、直流成分によって構成される表示出力端子１９上の画像を見ながら、必要なカットを検索し、必要なカット部分のタイムコード開始点及びタイムコード終了点を順次登録する。このとき、後の本編集時において柔軟に編集点変更が容易な様に、必要カット部分を十分に包含する様にタイムコード開始点・終了点を設定する。つまり編集領域設定器１４４は、代表成分を用いて粗い編集をするための制御信号を磁気テープ再生器４２に出力する。この粗い編集は、秒単位のオーダで大まかに編集することを意味する。編集領域設定器１４４が出力する制御信号としては、例えばタイムコードなどが用いられる。磁気テープ再生器４２は、このタイムコードに基づいて、テープの巻き戻し、早送りなどを含めた駆動の制御をおこなう。
【００８２】
次に、編集領域設定器１４４によって作成された必要カットに対応したタイムコードリストは、磁気テープ再生器４２に転送される。磁気テープ再生器４２は、編集領域設定器１４４によって指示されたタイムコードリストに対応する磁気テープ４１上の領域に記録されている、直流成分および交流成分から成る映像信号を再度、再生する。磁気テープ再生器４２の再生した映像信号は、今度は、直流成分、交流成分ともにディスク記録器１４１によって磁気ディスク１４２に記録される。
【００８３】
なお、磁気ディスク１４２への記録に際しては、既に直流成分は記録されているので、必要部分の交流成分だけを記録するようにしてもよい。
【００８４】
ここで磁気ディスク１４２に記録された映像信号は、ディスク再生器１４３によって再生され、逆ＤＣＴ等再生に必要が処理が施されて、ＤＣＴ前の高画質な画像に復元され、表示出力端子１９へ画像表示が可能となる。
【００８５】
次に、再生プログラム設定器１４５によって、磁気テープ４１に収録されている映像信号素材に対する最終本編集が施される。すなわち、磁気ディスク１４２には、先に編集領域設定器１４４によって、選択された必要カット部分に対応する映像信号（今回は、直流成分と交流成分がともに記録されている）に対して、高画質な画像表示を行いながら、微妙な編集点を設定する。すなわち再生プログラム設定器１４５は、フレーム単位で細かい編集をおこなうための制御信号をディスク再生器１４３に出力する。また、適当なカット部分については、特殊再生を指定したり、カット群の再生順序を設定する。最終的には、この様にして出来上がった再生プログラムに従って、ディスク再生器１４３は、磁気ディスク１４２上に記録された映像信号を再生する。この再生信号を放送用映像信号として、オンエアーしてもよいし、改めて、磁気テープなどの記録媒体に記録して保存してもよい。
【００８６】
（実施例９）
図１５は、本発明による映像信号処理装置の第９の実施例のブロック図である。図１５において、１５１は編集内容指示リスト作成器、１５２は磁気テープ記録器、１５３は磁気テープである。
【００８７】
以下、本発明の第９の実施例について、図面を用いて説明する。
【００８８】
まず、磁気テープ再生器４２は、磁気テープ４１から直流成分と交流成分に分割された映像信号を再生する。代表成分抽出器１４は、磁気テープ再生器４２から再生された映像信号から直流成分を抽出する。抽出された直流成分は、ディスク記録器１４１によって磁気ディスク１４２に記録される。この時、磁気テープ４１に通常記録されているタイムコードも同時に磁気ディスク１４２に記録される。磁気ディスク１４２に記録された直流成分は、ディスク再生器１４３によって再生することが可能であり、表示出力端子１９へ直流成分のみからなる簡易画像表示する。
【００８９】
次に、編集内容指示リスト作成器１５１によって、ディスク再生器１４３を操作して、磁気ディスク１４２に記録されている映像信号（この時点で磁気ディスク１４２に実際に記録されているのは、磁気テープ４１に記録されている映像信号のうちの直流成分である）から、必要なカット部分に対応するタイムコードリストを作成する。すなわち、編集内容指示リスト作成器１５１に付属するダイヤル等によりディスク再生器１４３に対して早送り、巻き戻し、可変速再生などの操作を施し、直流成分によって構成される表示出力端子１９上の画像を見ながら、必要なカットを検索し、必要なカット部分のタイムコード開始点及びタイムコード終了点を順次登録する。また、選択されたカット部分について適当な再生速度の指示情報を登録する。さらに、選択されたカット群の再生順序の指示情報を登録する。
【００９０】
次に、編集内容指示リスト作成器１５１によって作成された必要カットに対応したタイムコードリスト、各カットの再生速度の指示情報、カットの再生順序の指示情報は、磁気テープ再生器４２、及び、磁気テープ記録器１５２に転送される。磁気テープ再生器４２は、編集内容指示リスト作成器１５１によって指示された内容に従って、磁気テープ４１上の領域に記録されている、ＤＣＴによって得られた直流成分および交流成分から成る映像信号を再度、再生する。磁気テープ再生器４２の再生した映像信号は、今度は、直流成分、交流成分ともに、磁気テープ記録器１５２によって磁気テープ１５３に順次アッセンブル記録される。磁気テープ１５３に記録された映像信号を別の再生器に挿入し、再生信号を放送用映像信号として、オンエアーしてもよいし、改めて、磁気テープ再生器４２に挿入して、上記動作をくり返しさらに詳細に編集してもよい。
【００９１】
ところで、上記第８、第９の２つの実施例において、磁気テープ再生器４２からの再生信号から代表成分抽出器１４によって抽出した直流成分を磁気ディスク１４２に記録する動作モードに関して、磁気テープ再生器４２を通常速度より早い速度（特殊再生モード）で再生させることによって、フレーム周波数ごとの一画面に含まれる画像情報は複数フレームにまたがることになるが、転送実行時間を短縮できる。このとき、設定される磁気テープ再生器４２の再生速度を５〜１０倍速程度に設定するならば、通常の映像信号素材の場合には、十分に内容識別できる画質が得られる。なお、この場合、磁気ディスク１４２を再生する際は、磁気ディスク１４２への記録速度に対して、磁気テープ再生器４２の再生速度比率分だけ遅く再生することで本来の時間変化速度（再生速度）に戻すことができる。
【００９２】
以上説明したように、本発明の第８、第９の実施例によれば、代表成分と前記代表成分以外の非代表成分に分離された形態の映像信号から代表成分抽出器によって代表成分を抽出し、また、画像表示ユニット（すなわち表示出力端子）において、この代表成分のみによる画像モニター表示が可能な様に構成されているため、例えば、前記形態の映像信号として、スタジオ規格の映像信号を離散コサイン変換（ＤＣＴ）により圧縮した結果の信号を用い、代表成分として、ＤＣＴにより得られる直流成分を用いることにより、代表成分のデータレートは極めて低く抑えられ、第２の記録媒体の記録容量は少なくて済む。
【００９３】
磁気ディスクを第２の記録媒体として用いた場合には、磁気ディスクのコスト、記録容量の問題から、広く一般に用いられる第１の記録媒体としての磁気テープ上に収録された映像信号素材を一度に全て磁気ディスク上に転送できないため、ほとんどの場合、磁気テープ上のどの部分の素材を使うかを予め選択する作業が発生する。通常この作業は磁気テープを再生できるＶＴＲを操作して行われるが、シーケンシャル記録媒体ゆえの操作応答速度の悪さから膨大な時間を要してしまっていた。本発明によれば、この作業自体をアクセス性に優れる磁気ディスク上で行うことができるので、大幅な時間短縮が図れる。
【００９４】
また、代表成分抽出器によって、代表成分を抽出するだけなので、高価なビデオ圧縮伸張器を別途設ける必要がない。
【００９５】
さらに、第１の記録媒体に記録された映像信号の代表成分を抽出し、第２の記録媒体に記録する最初の動作モードにおいて、第１の再生器を通常よりも早い再生速度で信号再生させることで、一連の編集作業時間をさらに短縮することができる。
【００９６】
（実施例１０）
図１６は、本発明による映像信号処理装置の第１０の実施例の送信側のブロック図である。図１７は、本発明による映像信号処理装置の第１０の実施例の受信側のブロック図である。図１６において、１６１はフレーム信号抽出器、１６２はフレームメモリ、１６３は第１選択器、１６４は制御信号、１６５は送信器である。図１７において、１７１は制御信号生成器、１７２は選択信号、１７３は第２選択器、１７４はフレーム信号処理器、１７５は非代表成分補完器、１７６はフレームメモリ、１７７は制御信号、１７８は記録再生器、１７８ａは記録媒体、１７８ｂはモニタ、１７９は受信器である。
【００９７】
まず送信側の動作について図１６を用いて説明する。磁気テープ再生器４２は、磁気テープ４１より代表成分と代表成分以外の非代表成分とに分離された形態の映像信号を再生する。フレーム信号抽出器１６１は、磁気テープ再生器４２より出力される信号から、１画面分の信号であるフレーム信号を抽出し、フレームメモリ１６２に記録する。またフレーム信号抽出器１６１は、必要に応じてフレームメモリ１６２に記録されているフレーム信号を読み出して、第１選択器１６３に出力する。フレーム信号抽出器１６１は、動画を表す複数のフレームを任意の間隔で間引く。例えばフレームを間引くことによって、１秒に２または３フレームだけを出力する。この間引く間隔は、伝送路のデータレートに依存する。
【００９８】
代表成分抽出器１４は、前記形態の映像信号から代表成分のみを抽出し、代表成分信号として第１選択器１６３に出力する。
【００９９】
第１選択器１６３は、送信器１６５から出力される制御信号１６４に応じて、フレーム信号もしくは代表成分信号のいずれかを選択して、送信器１６５に出力する。送信器１６５は第１選択器１６３からの出力を、第１の伝送信号として外部伝送路８２に出力する。また送信器１６５は外部伝送路８２から第２の伝送信号を受信し、制御信号１６４として第１選択器１６３に出力する。
【０１００】
次に受信側の動作について、図１７を用いて説明する。
【０１０１】
制御信号生成器１７１は、選択信号１７２に従って、制御信号１７７を第２選択器１７３および受信器１７９に出力する。受信器１７９は、制御信号１７７を第２の伝送信号として外部伝送路８２に出力する。また受信器１７９は外部伝送路８２から第１の伝送信号を受信し、第１の伝送信号がフレーム信号であればフレーム信号処理器１７４に、第１の伝送信号が代表成分信号である場合には、非代表成分補完器１７５に出力する。
【０１０２】
フレーム信号処理器１７４は、受信器１７９から出力されたフレーム信号をフレームメモリ１７６に記録する。またフレーム信号処理器１７４は、フレームメモリ１７６に記録されたフレーム信号を読み出し、圧縮映像信号として第２選択器１７３に出力する。このとき圧縮映像信号としては、動画を表すフレーム信号の場合は、伝送路のデータレートに応じてフレーム単位で間引くことによって圧縮されたフレーム信号を出力し、静止画を表すフレーム信号の場合は、フレーム信号を複数回、繰り返して出力してもよい。
【０１０３】
非代表成分補完器１７５は、代表成分信号に非代表成分に準ずる信号を補完し、第２選択器１７３に出力する。また非代表成分補完器１７５は、必ずしも補完して出力しなくてもよい。非代表成分補完器の動作の一例として、代表成分信号に適切なフィルタを作用させる方法などがある。
【０１０４】
第２選択器１７３は、制御信号１７７に応じて、フレーム信号処理器１７４からの出力、もしくは非代表成分補完器１７５からの出力のいずれかを選択し、記録再生器１７８に出力する。記録再生器１７８は、選択された出力を記録媒体１７８ａに記録するか、またはモニタ１７８ｂに出力する。ここで記録媒体１７８ａは、テープ状記録媒体には限られず、ディスク状記録媒体（例えばＨＤＤ）であってもよい。
【０１０５】
ここでの制御信号１７７は、第１選択器１６３がフレーム信号抽出器１６１からの出力を選択する場合には、第２選択器１７３がフレーム信号処理器１７４からの出力を選択し、また第１選択器１６３が代表成分抽出器１４からの出力を選択する場合には、第２選択器１７３が非代表成分補完器１７５からの出力を選択するような制御信号である。
【０１０６】
なお、本実施例では、送信側、受信側はそれぞれ単独の機能のみを有するとして説明を行ったが、送受信側双方が、送信および受信の機能を備えた構成でも構わない。
【０１０７】
また制御信号生成器１７１は、上述の実施例においては、受信側に設けたが、送信側に設けてもよい。その場合、制御信号１６４は、送信側の選択器および伝送路を通して、受信側の選択器に伝送される。
【０１０８】
（実施例１１）
図１８は、本発明による映像信号処理装置の第１１の実施例のブロック図である。なお、第１１の実施例は、第１０の実施例の送信器１６５を具体化したものである。図１８において、１８１はＰＣＩバス、１８２は内蔵メモリ、１８３はハードディスク、１８４はＣＰＵ、１８５はモデム、１８６は第１選択器１６３からのデータ線、１８８は外部伝送路８２のうちのデータ線、１８９は外部伝送線路８２のうちの制御線である。
【０１０９】
図１６の第１選択器１６３からデータ線１８６を通して与えられた入力信号は、図１８のＰＣＩバス１８１を通して、内蔵メモリ１８２もしくはハードディスク１８３に格納される。ＣＰＵ１８４は、内蔵メモリ１８２もしくはハードディスク１８３に記録された入力信号をモデム１８５に出力する。またモデム１８５からＰＣＩバス１８１を介して出力される制御信号１６４を第１選択器１６３に出力する。モデム１８５は、入力信号に所定の信号処理を施して、第１の伝送信号をデータ線１８８および制御線１８９を通して外部伝送路８２に出力する。またモデム１８５は外部伝送路８２から第２の伝送信号を受信し、制御信号１６４としてＰＣＩバス１８１に出力する。上記以外の動作については第１０の実施例の場合と同様である。
【０１１０】
なお、本実施例において入力信号を記録するのは、内蔵メモリ１８２もしくはハードディスク１８３であるとしたが、内蔵メモリやハードディスクに限らず、記録媒体であれば他のものでもよい。また、入力信号および制御信号１６４を伝送するバスはＰＣＩバスであるとしたが、ＩＳＡバスであっても構わない。また、第１の伝送信号を外部伝送路８２に出力し、また外部伝送路８２から第２の伝送信号を受信するのはモデム１８５であるとしたが、モデムに限らず、外部伝送路に入出力できるような回路であれば他のものでも構わない。
【０１１１】
（実施例１２）
図１９は、本発明による映像信号処理装置の第１２の実施例のブロック図である。なお第１２の実施例は、第１０の実施例の受信器１７９を具体化したものである。図１９において、受信器１７９は、ＣＰＵ１８４、内蔵メモリ１８２、ハードディスク１８３、ＰＣＩバス１８１を含むコンピュータ１９５と、モデム１９１とを含んでいる。１９６は外部伝送路８２のデータ線、１９７は外部伝送路８２の制御線、１９８は非代表成分補完器１７５およびフレーム信号処理器１７４へのデータ線である。本実施例における映像信号処理装置の全体構成は第１０の実施例と同様である。
【０１１２】
モデム１９１は、外部伝送路８２から第１の伝送信号を受信し、所定の信号処理を施し、ＰＣＩバス１８１を通して内蔵メモリ１８２もしくはハードディスク１８３に出力する。また制御信号１６４に所定の信号処理を施して第２の伝送信号として外部伝送路８２に出力する。ＣＰＵ１８４は、内蔵メモリ１８２もしくはハードディスク１８３に記録された信号を、ＰＣＩバス１８１を通してフレーム信号処理器１７４もしくは非代表成分補完器１７５に出力する。このときモデム１９１から出力される信号がフレーム信号の場合にはフレーム信号処理器１７４に、代表成分信号の場合には非代表成分補完器１７５に出力する。また制御信号生成器１７１から出力される制御信号１６４をＰＣＩバス１８１を通してモデム１９１に出力する。上記以外の動作については第１０の実施例と同様である。
【０１１３】
なお、本実施例において、モデム１９１からの出力信号を記録するのは内蔵メモリ１８２もしくはハードディスク１８３であるとしたが、内蔵メモリやハードディスクに限らず、記録媒体であれば他のものでもよい。また、モデム１９１からの信号および制御信号１６４を伝送するバスはＰＣＩバスであるとしたが、ＩＳＡバスであっても構わない。また、第２の伝送信号を外部伝送路８２に出力し、また外部伝送路８２から第１の伝送信号を受信するのはモデム１９１であるとしたが、モデムに限らず、外部伝送路に入出力できるような回路であれば他のものでもよい。
【０１１４】
図２０は、本発明の第１２の実施例について説明するための図である。なお、第１２の実施例は、第１０の実施例において、具体的な圧縮映像信号の構成を用いて説明したものである。本図において圧縮映像信号を複数のフレーム信号２０１で構成し、各フレーム信号２０１に対し、複数のパケット２０２を設定する。  各パケット２０２にはフレーム先頭フラグ２０３の領域とデータ２０４の領域がある。第１のフレームの最初のパケットを第１のフレーム先頭パケット２０５と呼び、第２のフレームの最初のパケットを第２のフレーム先頭パケット２０６と呼ぶ。そして各フレームの先頭パケットにおけるフレーム先頭フラグ２０３を「先頭」とし、他のフレーム先頭フラグ２０３を「非先頭」とする。この実施例における映像信号処理装置の全体構成は第１０実施形態と同様である。
【０１１５】
圧縮映像信号は、パケット２０２に分割して伝送する。図１６のフレーム信号抽出器１６１は、フレーム先頭フラグ２０３の内容を見ることによって、そのパケットがフレームの先頭であるかどうかを判定することができる。このときフレーム信号抽出器１６１は、第１のフレーム先頭パケット２０５から、その次に現れる第２のフレーム先頭パケット２０６の一つ前のパケットまでを１フレームであると認識し、この部分をフレーム信号として抽出する。上記以外の動作については第１０実施形態と同様である。
【０１１６】
なお、本実施例において図２０に示すフレーム先頭フラグ２０３は、パケット２０２の先頭に位置しているが、パケット２０２のどの位置にあっても構わない。
【０１１７】
図２１は、本発明の第１２の実施例について説明するための図である。なお、第１２の実施例は、第１０の実施例で映像信号をインタレース信号とした場合である。図２１（ａ）において、フィールド２１１ａ、２１１ｂ、２１１ｃは奇数番目の走査線で構成されるフィールドであり、フィールド２１２ａ、２１２ｂは偶数番目の走査線で構成されるフィールドである。実線で示す走査線２１３はそのフィールドに含まれる走査線であり、破線で示す走査線２１４はそのフィールドには含まれない走査線である。図２１（ｂ）に示すように、フレーム２１５は奇数番目の走査線２１６と偶数番目の走査線２１７とが交互に配置される。
【０１１８】
図２２は、本発明の第１０の実施例のバリエーションを説明するための図である。図２２は、第１０の実施例において映像信号をノンインタレース信号とした場合である。図２２（ａ）において、フィールド２２１ａ、２２１ｂ、２２１ｃは連続する３つのフレームを示している。図２２（ｂ）に示すように、フレーム２２２は同一垂直走査周期に走査される複数の走査線２２３で構成される。
【０１１９】
図２３は、第１０の実施例における圧縮映像信号の構成を示す図である。図２３において圧縮映像信号は複数のパケット２０２から構成され、各パケット２０２には信号識別フラグ２３１の領域とデータ２０４の領域とが設けられている。信号識別フラグ２３１は、インタレース信号であるかノンインタレース信号であるかを示すフラグである。
【０１２０】
まず映像信号の一つであるインタレース信号について具体的に説明する。インタレース信号は図２１（ａ）に示すように、奇数番目の走査線のみで構成されるフィールドと、偶数番目の走査線のみで構成されるフィールドが交互に出てくる映像信号である。例えば、時刻ｔ０のフィールド２１１ａでは奇数番目の走査線しか存在せず、反対に時刻ｔ１のフィールド２１２ａでは偶数番目の走査線しか存在しない。この場合フレーム２１５は、図２１（ｂ）で示すように、フィールド２１１ａとフィールド２１２ａが合成されたものとなる。すなわちフレーム２１５に含まれる走査線のうち、奇数番目の走査線２１６はフィールド２１１ａの走査線、偶数番目の走査線２１７はフィールド２１２ａの走査線になる。このときフィールド２１１ａとフィールド２１２ａは異なった時刻の画像であるため、フレーム２１５の奇数番目の走査線２１６と偶数番目の走査線２１７の間には時間的なずれを生じることになる。このため、インタレース信号から１枚の画像を抽出して表示した場合には、ずれたような画像になる。現行テレビジョン放送であるＮＴＳＣ方式における映像信号は図２１で表されるようなインタレース信号である。
【０１２１】
次に別の映像信号であるノンインタレース信号について具体的に説明する。ノンインタレース信号はインタレース信号とは異なり、図２２（ａ）に示すように、フィールド２２１ａは全ての走査線を含んでいる。ただし単位時間内に含まれるフィールドの数はインタレース信号に比べて半分である。すなわち、図２１（ａ）と同じ時間軸を用いた場合には、時刻ｔ０、ｔ２、ｔ４にはフィールドは存在するが、時刻ｔ１、ｔ３にはフィールドは存在しない。この場合、フレーム２２２はフィールド２２１ａのみで構成されるため、走査線２２３に時間的なずれは生じていない。このため、１枚の画像を抽出して表示しても、インタレース信号のような画像のずれは発生しない。
【０１２２】
以上のように、１フレームの画像を伝送する場合には、ノンインタレース信号からフレーム信号を抽出する方が、より忠実な画像を伝送できる。そこで、圧縮映像信号として、図２３で表されるように圧縮映像信号をパケット２０２に分割して伝送する。図１６のフレーム信号抽出器１６１は、信号識別フラグ２３１を見ることによって、そのパケットを含む圧縮映像信号が、インタレース信号かノンインタレース信号であるかを判定することができる。フレーム信号抽出器１６１は、圧縮映像信号がノンインタレース信号の場合のみフレーム信号を抽出する。上記以外の部分の動作については第１０実施形態の場合と同様である。
【０１２３】
なお図２３において、信号識別フラグ２３１はパケット２０２の先頭に位置しているが、パケット２０２のどの位置にあっても構わない。また映像信号はインタレース信号もしくはノンインタレース信号のいずれかであるとしたが、それらが任意で切り替わるような信号であってもよい。
【０１２４】
（実施例１３）
図２４は、本発明による映像信号処理装置の第１３の実施例のブロック図である。図２４において２４１は、圧縮器である。
【０１２５】
磁気テープ４１上に記録されているデータは、磁気テープ再生器４２によって読み出され、バッファ１３に１フレーム分のデータが読み出されるまで保持される。バッファ１３に保持されたデータは、代表成分抽出器１４によって直流成分のみが抽出される。直流成分も映像信号とみなすことができるので、これを圧縮器２４１によって圧縮し、圧縮直流映像データを得る。圧縮器２４１によって得られた圧縮直流映像データは、記録媒体１８に記録される。
【０１２６】
上述のように、第１３の実施例によれば、直流成分からなる映像をさらに圧縮した圧縮直流データを用いることによって、さらに単位時間あたりの映像データ容量を減少させることができる。
【０１２７】
（実施例１４）
図２５は、本発明による映像信号処理装置の第１４の実施例のブロック図である。図２５において２５１は、伸長器である。
【０１２８】
以下に第１３の実施例と異なる点のみ説明する。代表成分抽出器１４によって直流成分が抽出され、さらに圧縮器２４１によって得られた圧縮直流データは、送信器８１によって伝送のための符号化やパケット分割がされて、外部伝送路８２を介して伝送される。伝送されてきたデータは、受信器８３によってデータが復元され、記録媒体１８に記録される。
【０１２９】
記録媒体１８に記録された圧縮直流データは、伸長器２５１によって伸長され、直流成分のみからなる映像データが得られる。伸長器２５１によって得られた映像データは、簡易的な表示画像として表示出力端子１９から出力される。
【０１３０】
上述のように、本発明の第１４の実施例によれば、抽出された直流成分をさらに圧縮して通信路符号化することによって、映像信号の内容を損なうことなく、伝送情報量を大幅に削減することができる。その結果、伝送レートの極めて低い伝送路においても、動画像を伝送することができる。
【０１３１】
なお第１４の実施例において、記録媒体１８がなく、受信されたデータをただちに伸長器２５１によって伸長し、簡易的な画像を表示することもできる。
【０１３２】
上記第１３、第１４の実施例において、圧縮器２４１における圧縮方法は任意である。すなわち直流成分を圧縮する手段は限定されない。
【０１３３】
なお、以上説明した各実施例において、代表成分は各Ｍ×ＮブロックにＤＣＴを施した場合の直流成分としたが、代表成分が直流成分の他に、より高域の成分を含んでいた場合でも、本発明による効果を得ることができる。例えば、ＤＣＴブロックとして８×８成分のブロックを用いるとき、代表成分として８×８成分のブロックのうち、低域側の２×２成分や４×４成分を用いてもよい。
【０１３４】
図２６は、８×８画素のブロックにＤＣＴを施した結果、得られるＤＣＴ係数の８×８成分のブロックを示す図である。図２６において、左上の成分は、ＤＣ成分であり、それ以外の成分は、ＡＣ成分である。ブロックの右側にいくにしたがい、水平方向の周波数成分が高くなり、ブロックの下側にいくにしたがい、垂直方向の周波数成分が高くなる。図２６に示すように、８×８成分のＤＣＴブロックのうち、低域側の４×４成分を代表成分として抽出して利用することもできる。
【０１３５】
また直流成分を表すすべてのビットを抽出する必要はなく、記録容量、または伝送レートに応じて、抽出する直流成分のビット数を任意に選択することも可能である。
【０１３６】
上述した本発明による映像信号処理の方法は、ソフトウェアまたはハードウェア、あるいはその両方を用いてインプリメントできる。本発明の方法をソフトウェア的にインプリメントする場合、そのソフトウェアは、記録媒体に記録して配布することもでき、また通信回線などを介して配布することもできる。
【０１３７】
【発明の効果】
本発明は、少なくとも以下の効果を有する。すなわち、映像信号の内容を高速で確認でき、記録容量を削減でき、さらに比較的、伝送容量の小さい伝送路でも映像信号を実用に耐える速度で伝送できる。
【図面の簡単な説明】
【図１】本発明による映像信号処理装置の第１の実施例のブロック図である。
【図２】代表成分抽出器１４のブロック図である。
【図３】入力される映像信号のデータストリームを模式的に示す図である。
【図４】本発明による映像信号処理装置の第２の実施例のブロック図である。
【図５】ＮＴＳＣ方式のデジタル映像信号の１フレームの構成の一例を示した図である。
【図６】映像信号のブロックおよび記録フォーマットを模式的に示す図である。
【図７】代表成分と非代表成分とを復号して得られる通常表示画と本実施例の表示出力端子より表示される簡易表示画との画素の関係を示した図である。
【図８】本発明による映像信号処理装置の第３の実施例のブロック図である。
【図９】本発明による映像信号処理装置の第４の実施例のブロック図である。
【図１０】本発明による映像信号処理装置の第５の実施例のブロック図である。
【図１１】本発明による映像信号の第６の実施例のブロック図である。
【図１２】磁気テープ上のトラックと、通常速度による再生ヘッド中心の軌跡、および高速再生による再生ヘッド中心の軌跡を相対的に示す図である。
【図１３】本発明による第７の実施例の映像信号処理装置のブロック図である。
【図１４】本発明の映像信号処理装置の第８の実施例のブロック図である。
【図１５】本発明による映像信号処理装置の第９の実施例のブロック図である。
【図１６】本発明による映像信号処理装置の第１０の実施例の送信側のブロック図である。
【図１７】本発明による映像信号処理装置の第１０の実施例の受信側のブロック図である。
【図１８】本発明による映像信号処理装置の第１１の実施例のブロック図である。
【図１９】本発明による映像信号処理装置の第１２の実施例のブロック図である。
【図２０】本発明の第１２の実施例について説明するための図である。
【図２１】本発明の第１２の実施例について説明するための図である。
【図２２】本発明の第１０の実施例のバリエーションを説明するための図である。
【図２３】第１０の実施例における圧縮映像信号の構成を示す図である。
【図２４】本発明による映像信号処理装置の第１３の実施例のブロック図である。
【図２５】本発明による映像信号処理装置の第１４の実施例のブロック図である。
【図２６】８×８画素のブロックにＤＣＴを施した結果、得られるＤＣＴ係数の８×８成分のブロックを示す図である。
【符号の説明】
１１  蓄積媒体
１２  通信端末
１３  バッファ
１４  代表成分抽出器
１５  カメラ
１６  コンピュータ
１７  符号化器
１８  記録媒体
１９  出力端子
２０  符号化映像供給部
【図１】
0003541910.tif 000002
【図２】
0003541910.tif 000003
【図３】
0003541910.tif 000004
【図４】
0003541910.tif 000005
【図５】
0003541910.tif 000006
【図６】
0003541910.tif 000007
【図７】
0003541910.tif 000008
【図８】
0003541910.tif 000009
【図９】
0003541910.tif 000010
【図１０】
0003541910.tif 000011
【図１１】
0003541910.tif 000012
【図１２】
0003541910.tif 000013
【図１３】
0003541910.tif 000014
【図１４】
0003541910.tif 000015
【図１５】
0003541910.tif 000016
【図１６】
0003541910.tif 000017
【図１７】
0003541910.tif 000018
【図１８】
0003541910.tif 000019
【図１９】
0003541910.tif 000020
【図２０】
0003541910.tif 000021
【図２１】
0003541910.tif 000022
【図２２】
0003541910.tif 000023
【図２３】
0003541910.tif 000024
【図２４】
0003541910.tif 000025
【図２５】
0003541910.tif 000026
【図２６】
0003541910.tif 000027